(57)【要約】【課題】一次元コード及び二次元コードの双方を読み取り可能であって、一次元コードと二次元コードとのそれぞれに対して容易に読取口を向けることができる光学的情報読取装置を提供する。【解決手段】把持部１３の長手方向一側の端部から斜め下方に延出してその延出端部１２ａに読取口５０が位置するように読取部１２が把持部１３に連結され、読取口５０の開口領域には、一次元コードを読み取る際に利用する一方向に長い第１の開口領域Ｓ１と、二次元コードを読み取る際に利用する第２の開口領域Ｓ２が設けられる。そして、延出端部１２ａの外面のうち把持部１３から離れた一側面１２ｂには、第２の開口領域Ｓ２に対応する二次元コード用読取範囲Ｄを示すためのガイド部６０が設けられる。【選択図】図７
2020181428.tif 000002
【特許請求の範囲】
【請求項１】
一次元コード及び二次元コードの両方の情報コードを撮像する撮像部と、
前記撮像部が内部に収容され、前記情報コードからの光を当該筐体の内部に導入する読取口が設けられる筐体と、
を備え、
前記読取口を介して前記情報コードを前記撮像部にて撮像して読み取る光学的情報読取装置であって、
前記筐体は、
前記読取口が形成された読取部と、
前記読取口を前記情報コードに向ける際に把持される把持部と、
を備え、
前記読取部は、前記把持部の長手方向を水平方向としたとき、前記把持部の長手方向一側の端部から斜め下方に延出して延出端部に前記読取口が位置するように前記把持部に連結され、
前記延出端部の外面のうち前記把持部から離れた一側面には、二次元コード用読取範囲を示すためのガイド部が設けられることを特徴とする光学的情報読取装置。
【請求項２】
前記延出端部の少なくとも一部は、前記読取部に対して着脱可能に組み付けられるアタッチメントによって構成され、
前記アタッチメントには、前記一側面に相当する位置に前記ガイドが設けられることを特徴とする請求項１に記載の光学的情報読取装置。
【請求項３】
前記ガイド部は、前記二次元コード用読取範囲を、色または透明度によって示すように構成されることを特徴とする請求項１又は２に記載の光学的情報読取装置。
【請求項４】
前記ガイド部は、前記二次元コード用読取範囲を、発光部による発光又は反射部による反射によって示すように構成されることを特徴とする請求項１又は２に記載の光学的情報読取装置。
【請求項５】
前記ガイド部は、前記二次元コード用読取範囲を、表示画面の表示によって示すように構成されることを特徴とする請求項３又は４に記載の光学的情報読取装置。
【請求項６】
前記ガイド部は、前記二次元コード用読取範囲を、形状または模様によって示すように構成されることを特徴とする請求項１又は２に記載の光学的情報読取装置。
【請求項７】
前記一側面には、前記ガイド部が前記二次元コード用読取範囲を明示していることを示す図形、文字、記号、又はこれらの結合からなる所定のデザインが施されることを特徴とする請求項３〜６のいずれか一項に記載の光学的情報読取装置。
【発明の詳細な説明】
【技術分野】
【０００１】
本発明は、情報コードを光学的に読み取る光学的情報読取装置に関するものである。
【背景技術】
【０００２】
従来、小売店やコンビニエンスストアのレジ等では、商品等に表示されているバーコードなどの一次元コードを読み取るため、受光手段としてラインセンサを使用したバーコードスキャナが多く採用されている。バーコードスキャナには、バーコードを読み取りやすくするため一方向に長く形成された読取口が設けられている。このため、読取口の長手方向をバーコードの長手方向に合わせるように読取口をバーコードに接触又は近接させることで、バーコードを読取可能な状態となる。
【０００３】
近年、ＱＲコード（登録商標）などの二次元コードが普及してきており、小売店やコンビニエンスストアのレジ等でも、受光手段としてエリアセンサを用いた二次元コードを読み取り可能なコードスキャナの導入が増加すると予想される。そうすると、１つの光学的情報読取装置で一次元コードや二次元コードを読み取る必要があり、一次元コードや二次元コードの双方を光学的に読み取り可能な光学的情報読取装置としては、例えば、下記特許文献１に開示される光学的情報読取装置が知られている。
【０００４】
この光学的情報読取装置は、情報コードからの反射光を取り込む読取口の開口領域が、上縁を長辺とする第１の開口領域とこの上縁よりも長さが短い下縁を一辺とする第２の開口領域とにより、略Ｔ字状となるように形成されている。これにより、一次元コードを読み取る場合には、第１の開口領域を一次元コードに向け、二次元コードを読み取る場合には、第１の開口領域の一部と第２の開口領域とにより形成される方形状の開口領域を二次元コードに向けることで、一次元コード及び二次元コードの双方を読み取ることができる。
【先行技術文献】
【特許文献】
【０００５】
【特許文献１】特開２０１６−１１０６１１号公報
【特許文献２】特開平０８−２２７４３７号公報
【発明の概要】
【発明が解決しようとする課題】
【０００６】
ところで、小売店やコンビニエンスストアのレジ等では、高速なオペレーションが求められるため、使用者は二次元コードに対しても一次元コードと同様の容易さで読取口を向ける必要がある。しかしながら、上記特許文献１に開示される光学的情報読取装置では、一次元コードに対しては容易に読取口を向けることができるものの、使用者から見て奥側に開口部の長辺側が存在することから、筐体によって二次元コードが隠されてしまうと、読取口のどの部分を二次元コードに向けるべきか容易に判断することができないという問題がある。例えば、上記特許文献２に開示されるバーコードリーダにて採用されるハーフミラーを採用する構造が考えられるが、ハーフミラーを覗きながら読取口の位置を調整する必要があるため、高速なオペレーション下においては読取口を即座に正しい位置に向けることは困難である。
【０００７】
本発明は、上述した課題を解決するためになされたものであり、その目的とするところは、一次元コード及び二次元コードの双方を読み取り可能であって、一次元コードと二次元コードとのそれぞれに対して容易に読取口を向けることができる光学的情報読取装置を提供することにある。
【課題を解決するための手段】
【０００８】
上記目的を達成するため、特許請求の範囲の請求項１に記載の発明は、
一次元コード及び二次元コードの両方の情報コードを撮像する撮像部（２８，２７）と、
前記撮像部が内部に収容され、前記情報コードからの光を当該筐体の内部に導入する読取口（５０）が設けられる筐体（１１）と、
を備え、
前記読取口を介して前記情報コードを前記撮像部にて撮像して読み取る光学的情報読取装置（１０）であって、
前記筐体は、
前記読取口が形成された読取部（１２）と、
前記読取口を前記情報コードに向ける際に把持される把持部（１３）と、
を備え、
前記読取部は、前記把持部の長手方向を水平方向としたとき、前記把持部の長手方向一側の端部から斜め下方に延出して延出端部（１２ａ）に前記読取口が位置するように前記把持部に連結され、
前記延出端部の外面のうち前記把持部から離れた一側面（１２ｂ）には、二次元コード用読取範囲（Ｄ）を示すためのガイド部（６０，６０ａ〜６０ｅ）が設けられることを特徴とする。
なお、上記各括弧内の符号は、後述する実施形態に記載の具体的手段との対応関係を示すものである。
【発明の効果】
【０００９】
請求項１の発明では、把持部の長手方向一側の端部から斜め下方に延出してその延出端部に読取口が位置するように読取部が把持部に連結される。そして、延出端部の外面のうち把持部から離れた一側面には、二次元コード用読取範囲を示すためのガイド部が設けられる。
【００１０】
これにより、把持部を把持している使用者が、ガイド部によって示される二次元コード用読取範囲を二次元コードに合わせるようにして読取口を二次元コードに向けることで、読取口が二次元コードに対向する。このため、読取口を向けた二次元コードが読取部によって隠されて把持部を把持している使用者から見えなくなる場合であっても、読取口を二次元コードに読取可能に向けることができる。したがって、一次元コード及び二次元コードの双方を読み取り可能であって、一次元コードと二次元コードとのそれぞれに対して容易に読取口を向けることができる光学的情報読取装置を実現することができる。
【００１１】
請求項２の発明では、延出端部の少なくとも一部は、読取部に対して着脱可能に組み付けられるアタッチメントによって構成され、このアタッチメントには、上記一側面に相当する位置にガイドが設けられる。これにより、二次元コードを読み取る際にアタッチメントを組み付け、一次元コードを読み取る際にアタッチメントを取り外すことができるだけでなく、二次元コード用読取範囲が異なる複数種類のアタッチメントを用意して、読み取る二次元コードの形状に合わせて二次元コード用読取範囲を変えることで、読取口をより正確に二次元コードに向けることができる。
【００１２】
請求項３の発明では、ガイド部は、二次元コード用読取範囲を、色または透明度によって示すように構成される。これにより、延出端部の一側面に対して印刷等を利用することで、容易にガイド部を設けることができる。
【００１３】
請求項４の発明では、ガイド部は、二次元コード用読取範囲を、発光部による発光又は反射部による反射によって示すように構成される。これにより、二次元コード用読取範囲を強調表示できるだけでなく、発光部による発光や反射部による反射を制御することで、必要な時にガイド部としてのガイド機能を発揮させることができる。
【００１４】
請求項５の発明では、ガイド部は、二次元コード用読取範囲を、表示画面の表示によって示すように構成される。これにより、二次元コード用読取範囲を強調表示できるだけでなく、読み取る二次元コードの形状に合わせて二次元コード用読取範囲を変えるように表示画面の表示内容を制御することで、読取口をより正確に二次元コードに向けることができる。
【００１５】
請求項６の発明では、ガイド部は、二次元コード用読取範囲を、形状または模様によって示すように構成される。これにより、金型成形等を利用することで、安価にガイド部を設けることができる。
【００１６】
請求項７の発明では、一側面には、ガイド部が二次元コード用読取範囲を明示していることを示す図形、文字、記号、又はこれらの結合からなる所定のデザインが施される。これにより、所定のデザインを見た利用者は、ガイド部が二次元コード用読取範囲を明示している意図を容易に認識することができる。すなわち、所定のデザインを用いることで使用者に対してガイド部の意図を明瞭に伝えることができる。
【図面の簡単な説明】
【００１７】
【図１】第１実施形態に係る光学的情報読取装置の構成概要を示す断面図である。
【図２】把持部を把持した状態を説明する平面図である。
【図３】把持部を把持した状態を説明する側面図である。
【図４】図１のＸ１方向から見た読取口の開口領域を示す平面図であり、図４（Ａ）は、第１の開口領域と第２の開口領域との関係を示し、図４（Ｂ）は、開口領域と撮像視野との関係を示す。
【図５】図１の光学的情報読取装置の電気的構成を概略的に例示するブロック図である。
【図６】図６（Ａ）は、バーコードに読取口の第１の開口領域を向けた状態を示す説明図であり、図６（Ｂ）は、ＱＲコードに読取口の第２の開口領域を向けた状態を示す説明図である。
【図７】図７（Ａ）は、二次元コード用読取範囲をＱＲコードにあわせた状態を示す斜視図であり、図７（Ｂ）は、読取口にてＱＲコードを覆った状態を示す斜視図である。
【図８】図８（Ａ）は、二次元コード用読取範囲をＱＲコードにあわせた状態を示す平面図であり、図８（Ｂ）は、読取口にてＱＲコードを覆った状態を示す平面図である。
【図９】図９（Ａ）は、第１実施形態の第１変形例に係る光学的情報読取装置のガイド部を説明する説明図であり、図９（Ｂ）は、第１実施形態の第２変形例に係る光学的情報読取装置のガイド部を説明する説明図であり、図９（Ｃ）は、第１実施形態の第３変形例に係る光学的情報読取装置のガイド部を説明する説明図である。
【図１０】第２実施形態に係る光学的情報読取装置のアタッチメントを示す斜視図であり、図１０（Ａ）はアタッチメントの装着前の状態を示し、図１０（Ｂ）はアタッチメントの装着後の状態を示す。
【図１１】図１１（Ａ）は、第３実施形態に係る光学的情報読取装置のガイド部を説明する説明図であり、図１１（Ｂ）は、第３実施形態の第１変形例に係る光学的情報読取装置のガイド部を説明する説明図であり、図１１（Ｃ）は、第３実施形態の第２変形例に係る光学的情報読取装置のガイド部を説明する説明図である。
【図１２】図１２（Ａ）は、第４実施形態に係る光学的情報読取装置のガイド部を説明する説明図であり、図１２（Ｂ）は、第４実施形態の第１変形例に係る光学的情報読取装置のガイド部を説明する説明図である。
【図１３】図１３（Ａ）は、第５実施形態に係る光学的情報読取装置のガイド部を説明する説明図であり、図１３（Ｂ）は、第５実施形態の第１変形例に係る光学的情報読取装置のガイド部を説明する説明図であり、図１３（Ｃ）は、第５実施形態の第２変形例に係る光学的情報読取装置のガイド部を説明する説明図である。
【図１４】図１４（Ａ）は、第６実施形態に係る光学的情報読取装置のガイド部を説明する説明図であり、図１４（Ｂ）は、第６実施形態の第１変形例に係る光学的情報読取装置のガイド部を説明する説明図であり、図１４（Ｃ）は、第６実施形態の第２変形例に係る光学的情報読取装置のガイド部を説明する説明図である。
【図１５】第７実施形態に係る光学的情報読取装置の構成概要を示す断面図である。
【図１６】図１５のＸ２−Ｘ２断面を拡大して示す拡大断面図である。
【図１７】第７実施形態の第１変形例に係る光学的情報読取装置を示す側面図である。
【図１８】図１７の読取口近傍の形状を説明する説明図である。
【図１９】第８実施形態に係る光学的情報読取装置の構成概要を示す断面図である。
【図２０】第９実施形態に係る光学的情報読取装置におけるマーカ照射部の構成概要を説明する説明図である。
【図２１】マーカ光と撮像視野と照明光との位置関係を示す説明図である。
【図２２】第１１実施形態に係る光学的情報読取装置の要部を示す説明図である。
【図２３】第１１実施形態の第１変形例に係る光学的情報読取装置の要部を示す説明図である。
【図２４】他の実施形態の第１変形例に係る光学的情報読取装置のガイド部を説明する説明図である。
【図２５】他の実施形態の第２変形例に係る光学的情報読取装置における読取口の開口領域を示す平面図である。
【発明を実施するための形態】
【００１８】
［第１実施形態］
以下、本発明に係る光学的情報読取装置を具現化した第１実施形態について、図面を参照して説明する。
本実施形態に係る光学的情報読取装置１０は、所定の表示面に表示された一次元コードや二次元コード等の情報コードを光学的に読み取る情報コードリーダとして構成されている。ここで、一次元コードとしては、例えば、ＪＡＮコード、ＥＡＮ、ＵＰＣ、ＩＴＦコード、ＣＯＤＥ３９、ＣＯＤＥ１２８、ＮＷ−７等からなるいわゆるバーコードが想定される。また、二次元コードとしては、例えば、ＱＲコード、データマトリックスコード、マキシコード、Ａｚｔｅｃコード等の方形状の情報コードが想定される。
【００１９】
図１に示すように、光学的情報読取装置１０は、ＡＢＳ樹脂等の合成樹脂からなる上ケース１１ａおよび下ケース１１ｂが組み付けられて構成される筐体１１によって外郭が形成され、この筐体１１の内部に各種電気部品等からなる回路部２０ａが回路基板２０等に実装されて収容されている。筐体１１は、情報コードからの光を当該筐体１１の内部に導入する読取口５０が形成された読取部１２と、読取口５０を情報コードに向ける際に把持される把持部１３と、を備えている。
【００２０】
読取部１２は、図１及び図３に示すように、把持部１３の長手方向を水平方向としたとき、把持部１３の長手方向一側の端部から斜め下方に延出してその延出端部１２ａに読取口５０が位置するように把持部１３に連結されている。すなわち、筐体１１は、読取口５０が形成される一端側が、裏面側に大きく前傾する首曲がり形状に形成されている。これにより、図２及び図３に示すように、使用者が把持部１３を当該上ケース１１ａ側から指先で挟むように把持した状態で、水平面に沿う所定の表示面Ｒに表示された情報コードＣに読取口５０を向け易くしている。また、筐体１１の他端側（把持部１３の長手方向他側）にはケーブル取付部１４が形成されている。
【００２１】
図４（Ａ）（Ｂ）に示すように、読取部１２の延出端部１２ａにおいて、読取口５０を構成する周縁５１は、把持部１３から離れた一側縁部５２を下底としこの一側縁部５２に対向する縁であって当該一側縁部５２よりも長さが短い他側縁部５３を上底とするように略台形状に形成されている。より具体的には、周縁５１は、脚５４及び脚５５が対称形状となるように略等脚台形状に形成されている。
【００２２】
このように読取口５０が開口することで、図４（Ａ）に示すように、一側縁部５２近くの一方向に長い開口領域（以下、第１の開口領域Ｓ１ともいう）を、一方向に長い情報コード、すなわち、一次元コードを読み取るための開口領域として利用することができる。また、一側縁部５２の一部と他側縁部５３とを対辺とする方形状の開口領域（以下、第２の開口領域Ｓ２ともいう）を、方形状の情報コード、すなわち、二次元コードを読み取るための開口領域として利用することができる。
【００２３】
特に、図２及び図４等に示すように、本実施形態では、延出端部１２ａの外面のうち把持部１３から離れた一側面１２ｂには、第２の開口領域Ｓ２に対応する二次元コード用読取範囲Ｄを示すためのガイド部６０が設けられている。ガイド部６０は、一側面１２ｂに対して異なる色（例えば、赤色）にて印刷される太線状の一対のガイド６１，６２によって構成されている。両ガイド６１，６２は、図４（Ａ）に示すように、一側面１２ｂの下端１２ｃに対して、第２の開口領域Ｓ２を投影した範囲の両端を二次元コード用読取範囲Ｄの両端としてそれぞれ示すように配置されている。なお、図４（Ａ）（Ｂ）では、説明の便宜上、ガイド６１，６２を誇張して図示している。
【００２４】
次に、光学的情報読取装置１０の電気的構成について、図面を参照して説明する。
図１および図５に示すように、筐体１１に収容される回路部２０ａは、主に、照明光源２１、受光センサ２８、結像レンズ２７等の光学系と、メモリ３５、制御回路４０等のマイクロコンピュータ（以下「マイコン」という）系とを備えている。
【００２５】
光学系は、投光光学系と、受光光学系とに分かれている。投光光学系を構成する照明光源２１は、照明光Ｌｆを発光可能な照明部として機能するもので、例えば、赤色のＬＥＤ２１ａとこのＬＥＤ２１ａの出射側に設けられるレンズ２１ｂとから構成されている。照明光源２１は、図１に示す照明光軸Ｌ１からわかるように、結像光軸Ｌ２に対して傾斜するように照明光Ｌｆを照射するように配置されている。照明光Ｌｆを結像光軸Ｌ２に対して平行に照射すると鏡面反射してしまうからである。なお、図５では、情報コードＣが表示された表示面Ｒに向けて、読取口５０を介して照明光Ｌｆを照射する例を概念的に示している。
【００２６】
受光光学系は、受光センサ２８、結像レンズ２７、反射鏡（図示略）などによって構成されている。受光センサ２８は、例えば、Ｃ−ＭＯＳやＣＣＤ等の固体撮像素子である受光素子を二次元に配列したエリアセンサとして構成されるものであり、方形状の受光領域として受光面２８ａを有するように構成されている。この受光センサ２８は、読取口５０、保護プレート２６および結像レンズ２７を介して入射する入射光を受光可能に回路基板２０に実装されている。
【００２７】
結像レンズ２７は、外部から読取口５０を介して入射する入射光を集光して受光センサ２８の受光面２８ａに像を結像可能な結像光学系として機能するものである。本実施形態では、照明光源２１から照射された照明光Ｌｆが情報コード等にて反射した後、この反射光Ｌｒを結像レンズ２７で集光し、受光センサ２８の受光面２８ａにコード像等を結像させている。本実施形態では、結像レンズ２７は、鏡面反射の影響を抑制するため、読取口５０と結像光軸Ｌ２との傾斜角度が、例えば、４５°〜７０°程度となるように配置されている。特に、結像レンズ２７は、図４（Ｂ）に示すように、方形状の受光面２８ａを有する受光センサ２８の読取口５０を含む平面での撮像視野ＡＲが、周縁５１との隙間が５ｍｍ程度であって周縁５１よりも僅かに狭い台形状となるように配置されている。なお、受光センサ２８及び結像レンズ２７等は、「撮像部」の一例に相当し得る。
【００２８】
マイコン系は、増幅回路３１、Ａ／Ｄ変換回路３３、メモリ３５、アドレス発生回路３６、同期信号発生回路３８、制御回路４０、トリガースイッチ４２、ブザー４４、バイブレータ４５、発光部４６、通信インタフェース４８等から構成されている。このマイコン系は、その名の通り、マイコン（情報処理装置）として機能し得る制御回路４０およびメモリ３５を中心に構成されるもので、上述した光学系によって撮像された情報コードの画像信号をハードウェア的およびソフトウェア的に信号処理し得るものである。また制御回路４０は、当該光学的情報読取装置１０の全体システムに関する制御も行っている。
【００２９】
光学系の受光センサ２８から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データ（画像情報）は、メモリ３５に入力されると、画像データ蓄積領域に蓄積される。なお、同期信号発生回路３８は、受光センサ２８およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３０】
メモリ３５は、半導体メモリ装置で、例えばＲＡＭ（ＤＲＡＭ、ＳＲＡＭ等）やＲＯＭ（ＥＰＲＯＭ、ＥＥＰＲＯＭ等）がこれに相当する。このメモリ３５のうちのＲＡＭには、上述した画像データ蓄積領域のほかに、制御回路４０が算術演算や論理演算等の各処理時に利用する作業領域や読取条件テーブルも確保可能に構成されている。また、ＲＯＭには、照明光源２１、受光センサ２８等の各ハードウェアを制御可能なシステムプログラム等が予め格納されている。
【００３１】
制御回路４０は、光学的情報読取装置１０全体を制御可能なマイコンで、ＣＰＵ、システムバス、入出力インタフェース等からなるもので、メモリ３５とともに情報処理装置を構成し得るもので情報処理機能を有する。この制御回路４０は、内蔵された入出力インタフェースを介して種々の入出力装置（周辺装置）と接続可能に構成されており、本実施形態の場合、トリガースイッチ４２、ブザー４４、バイブレータ４５、発光部４６、通信インタフェース４８等が接続されている。これにより、例えば、トリガースイッチ４２の監視や管理、ビープ音やアラーム音を発生可能なブザー４４の鳴動のオンオフ、当該光学的情報読取装置１０の使用者に伝達し得る振動を発生可能なバイブレータ４５の駆動制御、発光部４６の点灯、非点灯や外部装置との通信を可能にする通信インタフェース４８の通信制御等が制御回路４０によって行われることとなる。
【００３２】
次に、上述のように構成される光学的情報読取装置１０を用いて情報コードＣを読み取る場合について、図６〜図８を参照して説明する。
一次元コードや二次元コード等の情報コードＣを読み取る場合には、その情報コードＣに読取口５０を向けた状態でのトリガースイッチ４２に対する所定の操作に応じて、制御回路４０により以下のように読取処理が行われる。
【００３３】
一方向に長い一次元コードとしてバーコードＣ１を読み取る場合には、読取部１２における一側縁部５２近くの上記一方向に長い部分をバーコードＣ１に近づけるようにして読取口５０にてバーコードＣ１を覆う。これにより、図６（Ａ）に示すように、第１の開口領域Ｓ１がバーコードＣ１に対向し、第１の開口領域Ｓ１を介してバーコードＣ１を撮像可能な状態になる。
【００３４】
方形状の二次元コードとしてＱＲコードＣ２を読み取る場合には、まず、図７（Ａ）及び図８（Ａ）に示すように、一対のガイド６１，６２によって示される二次元コード用読取範囲ＤをＱＲコードＣ２に合わせるようにして読取口５０をＱＲコードＣ２に向ける。このとき、使用者は、読取部１２によって手前側の一部（図８（Ａ）の破線部参照）が隠されるように、ＱＲコードＣ２を視認する。そして、二次元コード用読取範囲ＤにてＱＲコードＣ２を隠すようにして、読取口５０を奥側（図８（Ａ）の左側）に移動させることで、図７（Ｂ）及び図８（Ｂ）に示すように、読取口５０にてＱＲコードＣ２を覆う。これにより、図６（Ｂ）に示すように、第２の開口領域Ｓ２がＱＲコードＣ２に対向し、第２の開口領域Ｓ２を介してＱＲコードＣ２を撮像可能な状態になる。
【００３５】
このように、第１の開口領域Ｓ１をバーコードＣ１に向けた状態、または、第２の開口領域Ｓ２をＱＲコードＣ２に向けた状態で、トリガースイッチ４２に対して所定の操作がなされると、照明光源２１から照明光Ｌｆが読取口５０を介して照射されて、情報コードＣにて反射された反射光Ｌｒが読取口５０を介して受光センサ２８にて受光される。この受光に応じて受光センサ２８から出力される信号に基づいて、情報コードＣが撮像されて画像データが生成されると、この画像データのうち情報コードＣに相当するコード画像に対して公知のデコード処理（読取処理）が実施される。この処理により、情報コードＣとしてコード化された文字データ等がデコードされる。
【００３６】
このデコードが成功すると、このデコード成功を報知するための報知部の処理として、ブザー４４の鳴動、バイブレータ４５の振動および発光部４６の発光等の少なくともいずれか１つがなされる。なお、受光センサ２８から出力される一部の信号に基づいて生成された画像データに基づいてデコードが成功した場合には、残りの信号は不要となる。この場合には残りの信号に基づく画像データの生成以降の処理を中断することで、デコード（光学的な読み取り）に関する処理負荷を軽減できるだけでなく、処理時間を短縮することができる。
【００３７】
以上説明したように、本実施形態に係る光学的情報読取装置１０では、把持部１３の長手方向一側の端部から斜め下方に延出してその延出端部１２ａに読取口５０が位置するように読取部１２が把持部１３に連結され、読取口５０の開口領域には、一次元コードを読み取る際に利用する一方向に長い第１の開口領域Ｓ１と、二次元コードを読み取る際に利用する第２の開口領域Ｓ２が設けられる。そして、延出端部１２ａの外面のうち把持部１３から離れた一側面１２ｂには、第２の開口領域Ｓ２に対応する二次元コード用読取範囲Ｄを示すためのガイド部６０が設けられる。
【００３８】
これにより、把持部１３を把持している使用者が、読取部１２の上記一方向に長い部分を一次元コードに向けることで、第１の開口領域Ｓ１が一次元コードに対向する。その一方で、把持部１３を把持している使用者が、ガイド部６０によって示される二次元コード用読取範囲Ｄを二次元コードに合わせるようにして読取口５０を二次元コードに向けることで、第２の開口領域Ｓ２が二次元コードに対向する。このため、読取口５０を向けた二次元コードが読取部１２によって隠されて把持部１３を把持している使用者から見えなくなる場合であっても、読取口５０を二次元コードに読取可能に向けることができる。したがって、一次元コード及び二次元コードの双方を読み取り可能であって、一次元コードと二次元コードとのそれぞれに対して容易に読取口５０を向けることができる光学的情報読取装置１０を実現することができる。
【００３９】
特に、ガイド部６０は、二次元コード用読取範囲Ｄを、一側面１２ｂに対して異なるように印刷された一対のガイド６１，６２の色によって示すように構成される。このように、延出端部１２ａの一側面１２ｂに対して印刷を利用して一対のガイド６１，６２を構成することで、容易にガイド部を設けることができる。なお、一対のガイド６１，６２は、上述したように赤色にて印刷されて構成されることに限らず、一側面１２ｂに対して他の異なる色を印刷等を利用して示すように構成されてもよいし、一側面１２ｂに対して所定の透明度の部材を配置して構成されてもよい。
【００４０】
また、ガイド部６０は、太線状に形成される一対のガイド６１，６２によって構成されることに限らず、二次元コード用読取範囲Ｄを視認容易な他の形状によって構成されてもよい。例えば、ガイド部６０は、図９（Ａ）に示す第１実施形態の第１変形例のように、三角形状に形成される一対のガイド６１，６２によって構成されてもよい。また、ガイド部６０は、図９（Ｂ）に示す第１実施形態の第２変形例のように、底辺にて二次元コード用読取範囲Ｄを示す１つの三角形によって構成されてもよい。また、ガイド部６０は、図９（Ｃ）に示す第１実施形態の第３変形例のように、三角形状に形成される一対のガイド６１，６２に加えて、二次元コード用読取範囲Ｄの中心を示すように三角形状に形成される第３のガイド６３によって構成されてもよい。すなわち、ガイド部６０は、二次元コード用読取範囲Ｄを示す３つ以上の標（目印）によって構成されてもよい。
【００４１】
［第２実施形態］
次に、本発明の第２実施形態に係る光学的情報読取装置について、図１０を用いて説明する。
本第２実施形態では、着脱式のアタッチメントにガイドが設けられる点が主に上記第１実施形態と異なる。このため、第１実施形態と実質的に同様の構成部分には同一符号を付して説明を省略する。
【００４２】
図１０（Ａ）（Ｂ）に示すように、本実施形態では、読取部１２の延出端部１２ａに対して着脱可能に組み付けられるアタッチメント７０が設けられており、このアタッチメント７０のガイド表示面７１が上記一側面１２ｂの少なくとも一部を構成する。このガイド表示面７１には、二次元コード用読取範囲Ｄを示すためのガイド部６０ａとして、太線状の一対のガイド６１ａ，６２ａが表示されている。
【００４３】
これにより、二次元コードを読み取る際にアタッチメント７０を組み付け、一次元コードを読み取る際にアタッチメント７０を取り外すような読取作業を行うことができる。特に、ガイド部６０ａにて示される二次元コード用読取範囲Ｄが異なる複数種類のアタッチメント７０を用意して、読み取る二次元コードの形状に合わせて二次元コード用読取範囲Ｄを変えることで、読取口５０をより正確に二次元コードに向けることができる。例えば、比較的小さな二次元コードを読み取る際には、そのサイズに応じて小さく設定された二次元コード用読取範囲Ｄがガイド部６０ａによって示されたアタッチメント７０を装着することで、その二次元コードに読取口５０を正確に向けることができる。ガイド部６０ａにて示される二次元コード用読取範囲Ｄの長さが二次元コードの幅に近くなるほど、その二次元コードに二次元コード用読取範囲Ｄを合わせやすくなるからである。
【００４４】
なお、アタッチメント７０のガイド表示面７１に表示されるガイド部６０ａは、太線状に形成される一対のガイド６１ａ，６２ａによって構成されることに限らず、例えば、上述した図９（Ａ）〜（Ｃ）のように、二次元コード用読取範囲Ｄを視認容易な他の形状によって構成されてもよい。
【００４５】
［第３実施形態］
次に、本発明の第３実施形態に係る光学的情報読取装置について、図１１を用いて説明する。
本第３実施形態では、表示状態が変化するガイド部を採用する点が主に上記第１実施形態と異なる。このため、第１実施形態と実質的に同様の構成部分には同一符号を付して説明を省略する。
【００４６】
図１１（Ａ）に示すように、本実施形態に係るガイド部６０ｂは、ＬＥＤ等の発光部からなる三角形状の一対のガイド６１ｂ，６２ｂを備えるように構成されている。両ガイド６１ｂ，６２ｂは、制御回路４０により読取処理が行われる際、制御回路４０により制御されて所定の発光色にて発光するように構成されている。
【００４７】
このようにガイド部６０ｂが構成されることで、暗所であっても、二次元コード用読取範囲Ｄを強調表示することができる。特に、制御回路４０にて発光部による発光を制御することで、読取処理が行われる際など、必要な時にガイド部６０ｂとしてのガイド機能を発揮させることができる。
【００４８】
なお、ガイド部６０ｂは、三角形状の発光部からなる一対のガイド６１ｂ，６２ｂによって構成されることに限らず、二次元コード用読取範囲Ｄを視認容易な他の形状の発光部によって構成されてもよい。例えば、ガイド部６０ｂは、図１１（Ｂ）に示す第３実施形態の第１変形例のように、下底にて二次元コード用読取範囲Ｄを示す１つの台形状の発光部によって構成されてもよい。また、ガイド部６０ｂは、図１１（Ｃ）に示す第３実施形態の第２変形例のように、三角形状の発光部からなる一対のガイド６１ｂ，６２ｂに加えて、二次元コード用読取範囲Ｄの中心を示すように両ガイド６１ｂ，６２ｂよりも全長が長い三角形状の発光部からなる第３のガイド６３ｂによって構成されてもよい。すなわち、ガイド部６０ｂは、二次元コード用読取範囲Ｄを示す３つ以上の発光部によって構成されてもよい。
【００４９】
また、ガイド部６０ｂは、一対のガイド６１ｂ，６２ｂ等が発光部として構成されることに限らず、外部から照射された光を反射する反射部として構成されてもよい。このようにしても、二次元コード用読取範囲Ｄを強調表示することができる。
【００５０】
なお、発光部や反射部等を利用して表示状態が変化するガイド部６０ｂを採用する本実施形態及び変形例等の特徴的構成は、他の実施形態等にも適用することができる。
【００５１】
［第４実施形態］
次に、本発明の第４実施形態に係る光学的情報読取装置について、図１２を用いて説明する。
本第４実施形態では、二次元コード用読取範囲Ｄを表示画面の表示によって示す点が主に上記第１実施形態と異なる。このため、第１実施形態と実質的に同様の構成部分には同一符号を付して説明を省略する。
【００５２】
図１２（Ａ）に示すように、本実施形態に係るガイド部６０ｃは、制御回路４０により表示画面６４の表示内容が制御される液晶表示器等によって構成されている。本実施形態では、表示画面６４は、方形状であって下端１２ｃに沿う長辺が二次元コード用読取範囲Ｄに一致するように形成されており、制御回路４０により読取処理が行われる際、制御回路４０により全面が一色の表示状態となるように制御される。
【００５３】
このようにガイド部６０ｃが構成されることで、暗所であっても、表示画面６４にて、二次元コード用読取範囲Ｄを強調表示することができる。
【００５４】
なお、ガイド部６０ｃは、全面が一色の表示状態となることで二次元コード用読取範囲Ｄを強調表示することに限らず、他の表示状態になることで二次元コード用読取範囲Ｄを強調表示してもよい。例えば、ガイド部６０ｃは、図１２（Ｂ）に示す第４実施形態の第１変形例のように、二次元コード用読取範囲Ｄの一端と他端とを三角形等の所定の図形を用いて明示することで、二次元コード用読取範囲Ｄを強調表示してもよい。
【００５５】
特に、ガイド部６０ｃは、読み取る二次元コードの形状に合わせて二次元コード用読取範囲Ｄを切り替えるように表示画面６４の表示内容が制御されることで、上記第２実施形態と同様に、読取口５０をより正確に二次元コードに向けることができる。なお、二次元コード用読取範囲Ｄの切り替えは、所定の操作や上位端末からの指示に応じて実施することもできるし、例えば、二次元コード用読取範囲Ｄを設定するための専用の情報コードを読み取ることで実施することもできる。
【００５６】
なお、二次元コード用読取範囲Ｄを表示画面６４の表示によって示す本実施形態及び変形例等の特徴的構成は、他の実施形態等にも適用することができる。
【００５７】
［第５実施形態］
次に、本発明の第５実施形態に係る光学的情報読取装置について、図１３を用いて説明する。
本第５実施形態では、二次元コード用読取範囲Ｄを一側面１２ｂに施された形状または模様によって示す点が主に上記第１実施形態と異なる。このため、第１実施形態と実質的に同様の構成部分には同一符号を付して説明を省略する。
【００５８】
図１３（Ａ）に示すように、本実施形態に係るガイド部６０ｄは、一側面１２ｂの下端１２ｃに対して、切り欠きを利用して形成された一対のガイド６１ｄ，６２ｄによって構成されている。両ガイド６１ｄ，６２ｄは、下端１２ｃに対して第２の開口領域Ｓ２を投影した範囲の両端を二次元コード用読取範囲Ｄの両端としてそれぞれ示すように配置されている。
【００５９】
このようにガイド部６０ｄが構成されても、このガイド部６０ｄを利用して二次元コード用読取範囲Ｄを明示することができる。特に、金型成形等を利用することで、上ケース１１ａや下ケース１１ｂの形成時にガイド部６０ｄも合わせて形成されるので、印刷剥がれ等が生じることなく、安価にガイド部６０ｄを設けることができる。
【００６０】
なお、ガイド部６０ｄは、切り欠きを利用して形成された一対のガイド６１ｄ，６２ｄによって構成されることに限らず、一側面１２ｂに施された他の形状または模様、例えば、半円柱状の突起や方形状の凹部等によって構成されてもよい。例えば、ガイド部６０ｄは、図１３（Ｂ）に示す第５実施形態の第１変形例のように、略方形状に凹み下端１２ｃに沿う長辺が二次元コード用読取範囲Ｄに一致するように形成される凹部によって構成されてもよい。また、ガイド部６０ｄは、図１３（Ｃ）に示す第５実施形態の第２変形例のように、三角形状の切り欠きによって形成される一対のガイド６１ｄ，６２ｄに加えて、二次元コード用読取範囲Ｄの中心を示すように三角形状に凹む凹部によって形成される第３のガイド６３ｄによって構成されてもよい。すなわち、ガイド部６０ｄは、二次元コード用読取範囲Ｄを示す３つ以上の形状または模様からなる標（目印）によって構成されてもよい。
【００６１】
なお、二次元コード用読取範囲Ｄを一側面１２ｂに施された形状または模様によって示す本実施形態及び変形例等の特徴的構成は、他の実施形態等にも適用することができる。
【００６２】
［第６実施形態］
次に、本発明の第６実施形態に係る光学的情報読取装置について、図１４を用いて説明する。
本第６実施形態では、一側面に、ガイド部が二次元コード用読取範囲を明示していることを示す所定のデザインが施される点が主に上記第１実施形態と異なる。このため、第１実施形態と実質的に同様の構成部分には同一符号を付して説明を省略する。
【００６３】
本実施形態では、図１４（Ａ）に示すように、一側面１２ｂに対して、二次元コード用読取範囲Ｄを示すガイド部６０ｅとして一対のＬ字状の矢印からなるガイド６１ｅ，６２ｅが印刷等にて表示されるとともに、両ガイド６１ｅ，６２ｅが二次元コード用読取範囲Ｄを明示していることを示す所定のデザイン６５が印刷等にて表示される。このデザイン６５は、二次元コード用の読取範囲であることを示すため、二次元コードを想起させる「ＱＲ」の文字やＱＲコードそのものを組み合わせて構成される。
【００６４】
このようにガイド部６０ｅとともにガイド部６０ｅが二次元コード用読取範囲Ｄを明示していることを示すデザイン６５を一側面１２ｂに施すことで、デザイン６５を見た利用者は、ガイド部６０ｅが二次元コード用読取範囲Ｄを明示していることを容易に認識することができる。すなわち、デザイン６５を用いることで使用者に対してガイド部６０ｅの意図を明瞭に伝えることができる。
【００６５】
なお、デザイン６５は、「ＱＲ」の文字やＱＲコードそのものによって構成されることに限らず、ガイド部６０ｅが二次元コード用読取範囲Ｄを明示していることを想起させる図形、文字、記号、又はこれらの結合によって構成されてもよい。
【００６６】
また、デザイン６５は、例えば、図１４（Ｂ）に示す第６実施形態の第１変形例のように、二次元コード用読取範囲Ｄの両端を矢印にて示すガイド部６０ｅとともに一側面１２ｂに表示されてもよい。また、デザイン６５は、例えば、図１４（Ｃ）に示す第６実施形態の第２変形例のように、Ｌ字状の矢印からなるガイド６１ｅ，６２ｅに二次元コード用読取範囲Ｄの中心を示す第３のガイド６３ｅを加えたガイド部６０ｅとともに、一側面１２ｂに表示されてもよい。また、デザイン６５は、上述したガイド部６０〜６０ｄなどの他のガイド部とともに一側面１２ｂに表示されてもよい。
【００６７】
［第７実施形態］
次に、本発明の第７実施形態に係る光学的情報読取装置について、図１５及び図１６を用いて説明する。
本第７実施形態では、一側縁部から上記斜め下方に沿って突出する壁部が設けられる点が主に上記第１実施形態と異なる。このため、第１実施形態と実質的に同様の構成部分には同一符号を付して説明を省略する。
【００６８】
図１５及び図１６に示すように、本実施形態では、一側縁部５２には、上記斜め下方に沿って薄板状に突出する壁部５６が設けられている。この壁部５６は、周縁５１のうち一側縁部５２のみをその厚さのまま斜め下方に突出させ、一側縁部５２から突出端部５６ａまでの突出長さＨが、突出端部５６ａを接触させた表示面Ｒに表示される情報コードＣの撮像に適した距離に応じた長さとなるように形成されている。具体的には、壁部５６は、例えば、突出長さＨが、突出端部５６ａを接触させた表示面Ｒに表示される情報コードＣの撮像に関してベストフォーカスとなるかベストフォーカスに近づくように、形成されている。
【００６９】
そして、この壁部５６の外面が上記一側面１２ｂを構成し、この一側面１２ｂに二次元コード用読取範囲Ｄを示すためのガイド部６０が設けられている。
【００７０】
このように構成される光学的情報読取装置では、一対のガイド６１，６２によって示される二次元コード用読取範囲ＤをＱＲコードＣ２に合わせるようにして、壁部５６の突出端部５６ａをＱＲコードＣ２に接触させる。そして、二次元コード用読取範囲ＤにてＱＲコードＣ２を隠すようにして、読取口５０を奥側に移動させることで、第２の開口領域Ｓ２がＱＲコードＣ２に対向し、第２の開口領域Ｓ２を介してＱＲコードＣ２を撮像可能な状態になる。
【００７１】
以上説明したように、本実施形態に係る光学的情報読取装置１０では、読取口５０の周縁５１のうち把持部１３から離れた一側縁部５２には、上記斜め下方に沿って突出する壁部５６が設けられる。
【００７２】
これにより、表示面Ｒから読取口５０を離した状態で情報コードＣを撮像する際には、把持部１３を把持する使用者から見て情報コードＣの奥側に壁部５６が位置し、情報コードＣの手前側には使用者自身が位置するため、情報コードＣの視認性を損なうことなく、情報コードＣ等にて反射した外来光を撮像され難くすることができる。さらに、読取口５０を介した照明光Ｌｆによる情報コードＣ等での反射光が壁部５６によって情報コードＣの奥側に反射され難くなるので、読取口５０を向けている方向（上記奥側に相当する方向）にいる人が感じる眩しさを抑制することができる。特に、壁部５６の先端側となる突出端部５６ａを表示面Ｒに接触させるため、外来光の影響や周囲の人が感じる眩しさをより確実に抑制することができる。したがって、情報コードＣを読み取る際に、その情報コードＣの視認性を損なうことなく、外来光の影響や周囲の人が感じる眩しさを抑制し得る光学的情報読取装置１０を実現することができる。
【００７３】
特に、壁部５６は、一側縁部５２から突出端部５６ａまでの突出長さＨが、突出端部５６ａを接触させた表示面Ｒに表示される情報コードＣの撮像に適した距離に応じた長さとなるように形成されている。これにより、突出端部５６ａを表示面Ｒに接触させるようにして読取口５０を情報コードＣに向けることで、読み取りに適した情報コードＣを撮像できるので、情報コードＣの読取成功率を高めることができる。
【００７４】
なお、図１７及び図１８に示す第７実施形態の第１変形例のように、読取口５０の周縁５１には、当該読取口５０を介して対向しそれぞれ壁部５６に連なる一対の対向部５７ａ，５７ｂが設けられてもよい。対向部５７ａは、脚５４をその厚さのまま斜め下方に突出させ、一側縁部５２に近くなるほど突出長さが長くなり、一側縁部５２の近傍部位では突出長さが壁部５６の突出長さＨに等しくなるように形成されている。また、対向部５７ｂは、脚５５をその厚さのまま斜め下方に突出させ、一側縁部５２に近くなるほど突出長さが長くなり、一側縁部５２の近傍部位では突出長さが壁部５６の突出長さＨに等しくなるように形成されている。すなわち、周縁５１から断面略コ字状の壁部が斜め下方に突出するように形成される。特に、対向部５７ａ，５７ｂは、図１７に示すように、突出端側ほど幅が狭くなるように対称に形成されている。
【００７５】
このように、壁部５６及び一対の対向部５７ａ，５７ｂが設けられることで、一対の対向部５７ａ，５７ｂを利用して壁部５６を補強しつつ、上記奥側からの外来光の影響だけでなく左右方向からの外来光の影響も抑制することができる。
【００７６】
なお、一対の対向部５７ａ，５７ｂは、読取口５０が方形状に開口するように形成される場合には、互いに略平行となるように形成されてもよい。
【００７７】
なお、壁部５６や一対の対向部５７ａ，５７ｂを設ける本実施形態及び変形例等の特徴的構成は、他の実施形態等にも適用することができる。
【００７８】
［第８実施形態］
次に、本発明の第８実施形態に係る光学的情報読取装置について、図１９を用いて説明する。
本第８実施形態では、照明光源２１から照射される照明光Ｌｆの照射方向が主に上記第７実施形態と異なる。このため、第７実施形態と実質的に同様の構成部分には同一符号を付して説明を省略する。
【００７９】
表示面Ｒに対する照明光Ｌｆの照射方向の角度、すなわち、表示面Ｒと照明光軸Ｌ１との傾斜角度の角度を９０°に近づけると、照明光Ｌｆに起因する鏡面反射が読み取りに影響しやすくなる。その一方で、上記照射方向の角度を単に小さくすると、読取口５０を向けた情報コードＣに照明光Ｌｆが照射され難くなる。
【００８０】
そこで、本実施形態では、図１９に例示するように、照明光源２１は、照明光Ｌｆを壁部５６の内面５６ｂに向けて照射するように配置される。
【００８１】
これにより、突出端部５６ａを情報コードＣの奥側近傍となる表示面Ｒの位置に接触させた状態で、照明光源２１から照射された照明光Ｌｆは、読取口５０を通過した後に壁部５６の内面５６ｂにて反射することで、情報コードＣに照射される。
【００８２】
このように、照明光Ｌｆが読取口５０を介して壁部５６の内面５６ｂに向けて照射されるように照明光源２１を配置することで、壁部５６を近づけた情報コードＣが当該壁部５６にて反射された反射光によって照らされるため、必要な照度を確保しつつ、情報コードＣの読み取りに関して照明光Ｌｆに起因する鏡面反射の影響を抑制することができる。
【００８３】
なお、照明光Ｌｆを壁部５６の内面５６ｂに向けて照射する本実施形態の特徴的構成は、他の実施形態等にも適用することができる。
【００８４】
［第９実施形態］
次に、本発明の第９実施形態に係る光学的情報読取装置について、図２０及び図２１を用いて説明する。
本第９実施形態では、撮像視野ＡＲの中心を示すためのマーカ光を照射するマーカ照射部が設けられる点が主に上記第７実施形態と異なる。このため、第７実施形態と実質的に同様の構成部分には同一符号を付して説明を省略する。
【００８５】
本実施形態では、図２０に示すように、撮像視野ＡＲの中心（結像光軸Ｌ２）を示すための円状のマーカ光Ｌｍを、読取口５０を介して照射するマーカ照射部２９が、筐体１１内に設けられている。このマーカ照射部２９は、マーカ光源２９ａ、絞り２９ｂ、マーカレンズ２９ｃ等を備えており、マーカ光Ｌｍのマーカ光軸Ｌ３と結像光軸Ｌ２との角度差を小さくしつつ、マーカ光源２９ａが受光センサ２８に近接するように配置されている。
【００８６】
特に、本実施形態では、情報コードＣを読み取り可能な状態では、照明光Ｌｆとマーカ光Ｌｍとが交互に照射されるように構成されており、使用者は、照明光Ｌｆとマーカ光Ｌｍとが同時に照射されているように視認する。このため、本実施形態では、照明光Ｌｆの色として赤色が採用されており、カラーユニバーサルデザインを意識して、マーカ光Ｌｍの色として、視感度最大の５５５ｎｍに近い波長となる緑色が採用されている。なお、上述した照明光Ｌｆ及びマーカ光Ｌｍの色はあくまで一例であり、例えば、照明光Ｌｆが白色で照射される場合にマーカ光Ｌｍが赤色で照射されてもよいし、照明光Ｌｆが赤色で照射される場合にマーカ光Ｌｍが橙色で照射されてもよいし、照明光Ｌｆが白色で照射される場合にマーカ光Ｌｍが緑色で照射されてもよい。
【００８７】
上述のようにマーカ照射部２９が設けられることで、情報コードＣを読み取るために照明光Ｌｆが照射されている場合には、図２１に例示するように、撮像視野ＡＲの中心を示すマーカ光Ｌｍが視認される。これにより、使用者は、マーカ光Ｌｍの位置によって撮像視野ＡＲを容易に視認することができ、情報コードＣに対して適切に読取口５０を向けることができる。
【００８８】
なお、撮像視野ＡＲの中心を示すためのマーカ光Ｌｍを照射する本実施形態の特徴的構成は、他の実施形態等にも適用することができる。
【００８９】
［第１０実施形態］
次に、本発明の第１０実施形態に係る光学的情報読取装置について、以下に説明する。
本第１０実施形態では、読取対象に応じて受光センサ２８から取り込んでデコード処理に用いる信号を選別する点が主に上記第１実施形態と異なる。このため、第１実施形態と実質的に同様の構成部分には同一符号を付して説明を省略する。
【００９０】
本実施形態では、制御回路４０にて実施される読取処理において、第１の開口領域Ｓ１および第２の開口領域Ｓ２を介して取り込まれる情報コードＣからの反射光の受光に応じて受光センサ２８から出力される信号に基づいて当該情報コードをデコードする（読み取る）状態（情報コード読取モード）と、第１の開口領域Ｓ１を介して取り込まれる一次元コードからの反射光の受光に応じて受光センサ２８から出力される信号に基づいて当該一次元コードをデコードする（読み取る）状態（一次元コード読取モード）と、が用意されている。
【００９１】
初期設定では情報コード読取モードに設定されており、制御回路４０にて実施される読取処理では、一次元コードおよび二次元コードの双方を含めた情報コードを読み取ることができる。
【００９２】
そして、読取対象が一次元コードのみである場合には、所定の操作またはモード切替用の情報コードの読み取り等に応じて、制御回路４０にて実施される読取処理において、切替部として機能する制御回路４０により、上記一次元コード読取モードに切り替えられる。
【００９３】
このように一次元コード読取モードに切り替えた状態で、読取部１２における一側縁部５２近くの上記一方向に長い部分を一次元コードに近づけるようにして読取口５０を第１の開口領域Ｓ１にて一次元コードに向ければよい。これにより、一次元コードを読取る位置に対して読取口５０を容易に向けやすくできるだけでなく、読取対象が明確になることからデコード処理（読取処理）の負荷軽減および時間短縮を図ることができる。
【００９４】
本実施形態の変形例として、さらに、第２の開口領域Ｓ２を介して取り込まれる二次元コードからの反射光の受光に応じて受光センサ２８から出力される信号に基づいて当該二次元コードをデコードする（読み取る）状態（二次元コード読取モード）を用意することができる。
【００９５】
このため、読取対象が二次元コードのみである場合には、所定の操作またはモード切替用の情報コードの読み取り等に応じて、制御回路４０にて実施される読取処理において、上記二次元コード読取モードに切り替えた状態で、一対のガイド６１，６２によって示される二次元コード用読取範囲Ｄを二次元コードに合わせるようにして読取口５０を第２の開口領域Ｓ２にて二次元コードに向ければよい。これにより、二次元コードを読取る位置に対して読取口５０を容易に向けやすくできるだけでなく、読取対象が明確になることからデコード処理（読取処理）の負荷軽減および時間短縮を図ることができる。
【００９６】
なお、読取対象に応じて受光センサ２８から取り込んでデコード処理に用いる信号を選別する本実施形態の特徴的構成は、他の実施形態等にも適用することができる。
【００９７】
［第１１実施形態］
次に、本発明の第１１実施形態に係る光学的情報読取装置について、図２２を用いて説明する。
本第１１実施形態では、結像中心（光学中心）Ｐが第１の開口領域Ｓ１の中央に位置するように配置される点が主に上記第１実施形態と異なる。このため、第１実施形態と実質的に同様の構成部分には同一符号を付して説明を省略する。
【００９８】
本実施形態では、一次元コードの読み取りを二次元コードの読み取りよりも重視することから、受光センサ２８に対して情報コードからの反射光を結像させる結像レンズ２７は、図２２に示すように結像中心Ｐが第１の開口領域Ｓ１の中央に位置するように結像光軸Ｌ２の傾きを調整して配置されている。
【００９９】
これにより、第１の開口領域Ｓ１に相当する受光領域での受光が確実になされるので、一次元コードの読取精度を向上させることができる。
【０１００】
特に、本実施形態では、図２２に示すように、照明光源２１は、帯状の光（略ライン状の光）を照明光Ｌｆとして第１の開口領域Ｓ１に向けて照射するように構成されている。
【０１０１】
このため、読取対象の一次元コードに対して照明光Ｌｆを照射しやすくなるだけでなく、照明光Ｌｆがガイド光として機能することで、読取口５０を第１の開口領域Ｓ１にて一次元コードに向けやすくなる。これにより、第１の開口領域Ｓ１を向けた一次元コードからの反射光Ｌｒをより一層受光しやすくなるので、一次元コードの読取精度をさらに向上させることができる。
【０１０２】
なお、二次元コードの読み取りを一次元コードの読み取りよりも重視する場合には、図２３に示す第１１実施形態の第１変形例のように、照明光源２１から断面方形状の照明光Ｌｆが第２の開口領域Ｓ２を介して照射されるように構成されてもよい。
【０１０３】
この場合には、第２の開口領域Ｓ２を向けた二次元コードからの反射光Ｌｒを受光センサ２８にて受光しやすくなるので、二次元コードの読取精度を向上させることができる。特に、断面方形状の照明光Ｌｆがガイド光として機能することで、読取口５０を第２の開口領域Ｓ２にて二次元コードに向けやすくなる。
【０１０４】
なお、上記第１１実施形態およびその変形例において、照明光源２１は、所定の入力操作に応じてその発光状態が制御されてもよい。例えば、帯状の照明光Ｌｆが第１の開口領域Ｓ１を介して照射されている状態において、二次元コードを読み取る場合に、照明光Ｌｆを消灯してもよいし、断面方形状の照明光Ｌｆを第２の開口領域Ｓ２を介して照射してもよい。また、断面方形状の照明光Ｌｆが第２の開口領域Ｓ２を介して照射されている状態において、一次元コードを読み取る場合に、照明光Ｌｆを消灯してもよいし、帯状の照明光Ｌｆを第１の開口領域Ｓ１を介して照射してもよい。
【０１０５】
［他の実施形態］
なお、本発明は上記各実施形態および変形例に限定されるものではなく、例えば、以下のように具体化してもよい。
（１）ガイド部６０を構成する一対のガイド６１，６２は、互いに平行となるように形成されることに限らず、図２４に示す他の実施形態の第１変形例のように、二次元コードを読み取るための第２の開口領域Ｓ２の位置を想像しやすくするため、下端１２ｃに近くなるほど、ガイド６１とガイド６２とが離れるように構成されてもよい。他のガイド部６０ａ〜６０ｅにおいても同様の効果を奏する。
【０１０６】
（２）情報コードからの反射光を取り込む読取口５０は、上述したように略台形状に開口するように形成されることに限らず、他の開口形状、例えば、一側縁部５２が他側縁部５３よりも長くなるＴ字状に開口するように形成されてもよい。また、一側面１２ｂは、略平面状に形成されることに限らず、図２５に示す他の実施形態の第２変形例のように、読取口５０を平面視したときに、円弧状となるように形成されてもよい。すなわち、周縁５１は、読取口５０を平面視したときに、少なくとも一部が円弧状となるように形成されてもよい。
【０１０７】
（３）結像レンズ２７等は、読取口５０を含む平面での撮像視野ＡＲが、周縁５１よりも僅かに狭い台形状となるように配置されることに限らず、周縁５１の少なくとも一部も含めるように、配置されてもよい。
【０１０８】
（４）本発明は、一次元コードや二次元コード等の情報コードを光学的に読み取る光学的情報読取装置に適用されることに限らず、例えば、情報コードだけでなく文字情報等を光学的に読み取り可能な光学的情報読取装置に適用されてもよい。
【０１０９】
（５）本発明は、トリガースイッチ４２に対する所定の操作に応じて読取処理が行なわれる光学的情報読取装置１０に採用されることに限らず、一定時間読取処理が常時行われる光学的情報読取装置に採用されてもよい。
【符号の説明】
【０１１０】
１０…光学的情報読取装置
１１…筐体
１２…読取部
１２ａ…延出端部
１２ｂ…一側面
１２ｃ…下端
１３…把持部
２７…結像レンズ（撮像部）
２８…受光センサ（撮像部）
５０…読取口
６０，６０ａ〜６０ｅ…ガイド部
６１，６１ａ，６１ｂ，６１ｄ，６１ｅ…ガイド
６２，６２ａ，６２ｂ，６２ｄ，６２ｅ…ガイド
６３，６３ｂ，６３ｄ，６３ｅ…第３のガイド
６４…表示画面
６５…デザイン
７０…アタッチメント
Ｃ…情報コード
Ｃ１…バーコード（一次元コード）
Ｃ２…ＱＲコード（二次元コード）
Ｄ…二次元コード用読取範囲
Ｓ１…第１の開口領域
Ｓ２…第２の開口領域
【図１】
2020181428.tif 000003
【図２】
2020181428.tif 000004
【図３】
2020181428.tif 000005
【図４】
2020181428.tif 000006
【図５】
2020181428.tif 000007
【図６】
2020181428.tif 000008
【図７】
2020181428.tif 000009
【図８】
2020181428.tif 000010
【図９】
2020181428.tif 000011
【図１０】
2020181428.tif 000012
【図１１】
2020181428.tif 000013
【図１２】
2020181428.tif 000014
【図１３】
2020181428.tif 000015
【図１４】
2020181428.tif 000016
【図１５】
2020181428.tif 000017
【図１６】
2020181428.tif 000018
【図１７】
2020181428.tif 000019
【図１８】
2020181428.tif 000020
【図１９】
2020181428.tif 000021
【図２０】
2020181428.tif 000022
【図２１】
2020181428.tif 000023
【図２２】
2020181428.tif 000024
【図２３】
2020181428.tif 000025
【図２４】
2020181428.tif 000026
【図２５】
2020181428.tif 000027